(57)【要約】  本発明は、全身運動器に係り、さらに詳しくは、腰、背、腹および膝関節の鍛錬のための人体各部位の回転および上下動を行うことのできる全身運動器に関する。本発明に係る全身運動器は、上体を受止め支持する上体受け体と、前記上体受け体の底面に形成され、前記上体受け体を水平移動可能にする上体受けガイドレールと、地面に接地されるベースフレームを基準として前記上体受け体が回転可能に前記上体受けガイドレールの下面に取り付けられた回転用ブラケットとを有する上体運動部と、尻を受止め支持する尻受け体と、前記尻受け体の下部に連結され、前記尻受け体の高さが調節可能な尻受け高さ調節シリンダーとを有する尻運動部と、足首を受止め支持する足首受け体と、前記足首受け体の底面に形成され、前記足首受け体を水平移動可能にする足首受けガイドレールと、地面に接地されるベースフレームを基準として前記足首受け体が回転可能に前記足首受けガイドレールの下面に取り付けられた回転用ブラケットとを有する足首運動部と、を備える。
2014516722.tif 000002
【特許請求の範囲】
【請求項１】
上体を受止め支持する上体受け体と、前記上体受け体の底面に形成され、前記上体受け体を水平移動可能にする上体受けガイドレールと、地面に接地されるベースフレームを基準として前記上体受け体が回転可能に前記上体受けガイドレールの下面に取り付けられた回転用ブラケットとを有する上体運動部と、
尻を受止め支持する尻受け体と、前記尻受け体の下部に連結され、前記尻受け体の高さが調節可能な尻受け高さ調節シリンダーとを有する尻運動部と、
足首を受止め支持する足首受け体と、前記足首受け体の底面に形成され、前記足首受け体を水平移動可能にする足首受けガイドレールと、地面に接地されるベースフレームを基準として前記足首受け体が回転可能に前記足首受けガイドレールの下面に取り付けられた回転用ブラケットとを有する足首運動部と、
を備える全身運動器。
【請求項２】
前記尻運動部は、
前記尻受け高さ調節シリンダーの下端と連結されて前記尻受け体を回転させる往復回転クランクロッドと、
一方の端は前記往復回転クランクロッドとリンク固定軸を介して連結され、他方の端は動力伝達メイン軸と連結されるカムと、
中心は動力源と動力伝達装置によって連結され、両側は前記カムと連結されるリンク固定軸と、
を備える請求項１に記載の全身運動器。
【請求項３】
前記上体運動部は、前記尻運動部に従って上下動するように前記尻運動部と往復連結リンク軸によって連結される請求項１に記載の全身運動器。
【請求項４】
前記全身運動器は、
膝を受止め支持する膝受け体と、前記膝受け体の下部に連結され、前記膝受け体の高さが調節可能な膝受け体高さ調節シリンダーとを有する膝運動部をさらに備える請求項１に記載の全身運動器。
【請求項５】
前記尻運動部は、
前記尻受け高さ調節シリンダーの下端と連結されて前記尻受け体を円軌道に運動させる往復回転クランクロッドと、
一方の端は前記往復回転クランクロッドとリンク固定軸を介して連結され、他方の端は動力伝達メイン軸と連結されるカムと、
をさらに備える請求項４に記載の全身運動器。
【請求項６】
前記膝運動部は、
前記膝受け体高さ調節シリンダーの下端と連結されて前記膝受け体を回転させる下体往復リンクロッドと、
一方の端は前記下体往復リンクロッドとリンク固定軸を介して連結され、他方の端はカム固定支持板を介して前記カムと連結される下体回転用カムと、
をさらに備える請求項５に記載の全身運動器。
【請求項７】
前記足首受け部は、前記膝運動部に従って上下動するように前記下体往復リンクロッドと往復移送連結軸によって連結される請求項６に記載の全身運動器。
【請求項８】
前記上体運動部は、前記尻運動部に従って上下動するように前記尻運動部と往復連結リンク軸によって連結される請求項７に記載の全身運動器。
【発明の詳細な説明】
【技術分野】
【０００１】
本発明は、全身運動器に係り、さらに詳しくは、腰、背、腹および膝関節の鍛錬のための人体各部位の回転および上下動を行うことのできる全身運動器に関する。
【背景技術】
【０００２】
現代社会の高度化が進むことに伴い、現代人は運動不足の栄養の過剰摂取によって現代病に曝されたままで生きている。
【０００３】
特に、硬直した姿勢や過度な作業量または加齢化によって身体は腰、背、腹および膝背に異常が生じる退行性脊髄疾患、脊髄が湾曲する側湾症、股関節腰痛症の筋膜痛症、ストレス形成長発育低下、過度な腹筋などにそのまま晒されており、これらの問題を解消するために現代人は長時間の運動をしており、各種の運動器具や専門トレーナーから助けを受けている。
その傾向と相まって、種々の身体各部位の運動器具および全身運動器具が開発されて上市されている。
【０００４】
例えば、頸椎および肩甲運動器、腹筋運動器、電動式脚関節運動器、下体運動器、有酸素運動器、脊髄校正用運動器、ボクシングゲーム運動器、骨盤筋肉の収縮運動器、体形校正型伸展運動器、背指圧運動器、握力運動器、肩ツイスト運動器、多目的運動器、全身運動器など数え切れないほど数多くの運動器が開発されて使用されている。
【０００５】
このように数多くの運動器が開発されているにも拘わらず、より便利で且つより効率よい運動器は絶えず開発が続けられて使用される見込みであるということはいうまでもない。
【発明の概要】
【発明が解決しようとする課題】
【０００６】
本発明は上述した問題点を解消するために案出されたものであり、その目的は、人体の腰と腹および膝関節を柔軟化させることができ、且つ、筋力を強化させることのできる全身運動器を提供することである。
【０００７】
また、本発明の他の目的は、中年および老年層の退行性脊髄疾患、一般生活習慣に起因する側湾症などの脊髄疾患、股関節腰部分の筋膜痛症、青少年層のストレス形成長発育低下の問題を解消するように筋力強化、腹筋脂肪除去、五臓六腑の柔軟性強化および精神的な弛緩効果を高めることのできる全身運動器を提供することである。
【０００８】
さらに、本発明のさらに他の目的は、運動器具の動きに沿ってユーザーが楽に仰臥した状態で、頭、上体および肩の受け体、中間尻および腰の受け体並びに下体部位の膝受け体、足首および脚受け体を用いて全身運動を行うことのできる全身運動器を提供することである。
【課題を解決するための手段】
【０００９】
上述した課題を解消するために、本発明に係る全身運動器は、上体を受止め支持する上体受け体と、前記上体受け体の底面に形成され、前記上体受け体を水平移動可能にする上体受けガイドレールと、地面に接地されるベースフレームを基準として前記上体受け体が回転可能に前記上体受けガイドレールの下面に取り付けられた回転用ブラケットとを有する上体運動部と、尻を受止め支持する尻受け体と、前記尻受け体の下部に連結され、前記尻受け体の高さが調節可能な尻受け高さ調節シリンダーとを有する尻運動部と、足首を受止め支持する足首受け体と、前記足首受け体の底面に形成され、前記足首受け体を水平移動可能にする足首受けガイドレールと、地面に接地されるベースフレームを基準として前記足首受け体が回転可能に前記足首受けガイドレールの下面に取り付けられた回転用ブラケットとを有する足首運動部と、を備える。
【００１０】
ここで、前記尻運動部は、前記尻受け高さ調節シリンダーの下端と連結されて前記尻受け体を回転させる往復回転クランクロッドと、一方の端は前記往復回転クランクロッドとリンク固定軸を介して連結され、他方の端は動力伝達メイン軸と連結されるカムと、中心は動力源と動力伝達装置によって連結され、両側は前記カムと連結されるリンク固定軸と、を備えていてもよい。
ここで、前記上体運動部は、前記尻運動部に従って上下動するように前記尻運動部と往復連結リンク軸によって連結されていてもよい。
【００１１】
ここで、前記全身運動器は、膝を受止め支持する膝受け体と、前記膝受け体の下部に連結され、前記膝受け体の高さが調節可能な膝受け体高さ調節シリンダーとを有する膝運動部をさらに備えていてもよい。
【００１２】
ここで、前記尻運動部は、前記尻受け高さ調節シリンダーの下端と連結されて前記尻受け体を円軌道運動させる往復回転クランクロッドと、一方の端は前記往復回転クランクロッドとリンク固定軸を介して連結され、他方の端は動力伝達メイン軸と連結されるカムと、をさらに備えていてもよい。
【００１３】
ここで、前記膝運動部は、前記膝受け体高さ調節シリンダーの下端と連結されて前記膝受け体を回転させる下体往復リンクロッドと、一方の端は前記下体往復リンクロッドとリンク固定軸を介して連結され、他方の端はカム固定支持板を介して前記カムと連結される下体回転用カムと、をさらに備えていてもよい。
ここで、前記足首受け部は、前記膝運動部に従って上下動するように前記下体往復リンクロッドと往復移送連結軸によって連結されていてもよい。
ここで、前記上体運動部は、前記尻運動部に従って上下動するように前記尻運動部と往復連結リンク軸によって連結されていてもよい。
【発明の効果】
【００１４】
本発明によれば、人体の腰と腹を柔軟化させ且つ筋力を強化させ、中年および老年層の運動不足による退行性脊髄疾患、膝股関節疾患の修復に役立ち、軽直した一般生活習慣に起因して脊髄が側湾する側湾症などの脊髄疾患や、股関節腰部分の筋膜痛症を訴える青少年層のストレス形成長発育低下および老年層の退行性関節炎、軽直した脊髄および膝関節の修復のための全身運動器を提供することができる。
【図面の簡単な説明】
【００１５】
【図１】図１は、本発明に係る全身運動器の正面図である。
【図２】図２は、本発明に係る全身運動器の平面図である。
【図３】図３は、本発明に係る全身運動器の左側面図である。
【図４】図４は、図１のＡ−Ａ断面図である。
【図５】図５は、図１のＢ−Ｂ断面図である。
【図６】図６は、本発明に係る全身運動器の動作を説明するための図である。
【発明を実施するための形態】
【００１６】
以下、添付図面に基づき、本発明に係る全身運動器の構造および動作並びに作用効果について説明する。
【００１７】
図１は、本発明に係る全身運動器の正面図であり、図２は、本発明に係る全身運動器の平面図であり、図３は、本発明に係る全身運動器の左側面図であり、図４は、図１のＡ−Ａ断面図であり、図５は、図１のＢ−Ｂ断面図であり、そして図６は、本発明に係る全身運動器の動作を説明するための図である。
【００１８】
同図に示すように、本発明に係る全身運動器１００は、上体運動部１１０と、尻運動部１２０と、膝運動部１３０および足首運動部１４０を備える。
ここで、膝運動部１３０は必要に応じて省略されてもよく、以下では、膝運動部１３０付き運動器を好適な実施形態の例として挙げて説明する。
上体運動部１１０には頭および肩部位が直接的に当たり、上下に傾く傾斜運動とガイドレールによる前後への水平移動が行われる。
【００１９】
尻運動部１２０には尻が位置し、上体運動部１１０とともに腰を支える。尻運動部１２０は、シリンダーによって高さが調節可能であり、回転体とカムの構造によって回転運動と直線運動を並行する。
【００２０】
膝運動部１３０は膝が位置する部分で、シリンダーによって高さが調節可能でり、カムの構造によって回転運動と直線運動を並行する。
足首運動部１４０は足首部位が置かれる部分で、上体運動部１１０と同様に上下に傾く傾斜運動とガイドレールによる前後への水平移動が行われる。
【００２１】
上体運動部１１０と、尻運動部１２０と、膝運動部１３０および足首運動部１４０は、それぞれ別々に動作してもよく、互いに連動されてもよいが、以下では、互いに連動される場合を好適な実施形態の例として挙げて説明する。
【００２２】
上体運動部１１０は、上体受け体２１と、ローラー固定板２０と、上体受けガイドレール１８と、移送ガイドローラー１９と、回転テーブル１７および回転用ブラケット１６を備える。
【００２３】
上体受け体２１には頭および肩が置かれ、頭部分には首枕２２がさらに形成されてもよい。上体受け体２１の下部にはローラー固定板２０が形成され、ローラー固定板２０の両側面には上体受けガイドレール１８が形成され、上体受けガイドレール１８には移送ガイドローラー１９が回転自在に置かれてローラー固定板２０に取り付けられる。
【００２４】
ローラー固定板２０および上体受けガイドレール１８の下部には回転テーブル１７が配設され、回転テーブル１７と上部ベースフレーム１４は回転用ブラケット１６によって回動されるように連結される。
【００２５】
上体受け体２１は、上体受けガイドレール１８と移送ガイドローラー１９によって前後への水平移動が行われ、回転用ブラケット１６によって重心に沿って左右に傾いて傾斜運動が行われる。
【００２６】
さらに、上体受け体２１は、往復連結リンク軸２３によって尻運動部１２０の尻受け体１２の下端部と連結され、これにより、上体運動部２１は、尻運動部１２０の動作に従って運動自在となる。
【００２７】
尻運動部１２０は、尻受け体１２と、尻受け高さ調節シリンダー１１と、往復回転クランクロッド１０と、カム８と、リンク固定軸９および動力伝達メイン軸７を備える。
【００２８】
尻受け体１２には尻が位置し、尻受け体１２は下部に連結された尻受け高さ調節シリンダー１１によってその高さが調節可能になる。尻受け体１２の下部には本体フレーム１が形成され、本体フレーム１の上面には補助台マット１３が形成されていてもよい。
【００２９】
尻受け高さ調節シリンダー１１の最下端の両側には往復回転クランクロッド１０が水平に置かれ、往復回転クランクロッド１０はリンク固定軸９を介してカム８の一方の端と連結され、カム８の他方の端は動力伝達メイン軸７と連結される。
【００３０】
動力伝達メイン軸７は、動力伝達媒体であるモーターおよび減速器４とベルト、ギアおよびチェインなどを有する動力伝達装置６を介して連結されて動力を伝達される。モーターおよび減速器４は、モーターおよび減速器固定ブラケット４によって固定される。
【００３１】
このような構成を有する尻運動部１２０は、往復回転クランクロッド１０とカム８によって円軌道を回りながら直線往復運動を行う。
膝運動部１３０は、膝受け体３５と、膝受け体高さ調節シリンダー３４と、下体往復リンクロッド２４および下体回転用カム２５を備える。
膝受け体３５には膝の下側が位置し、膝受け体高さ調節シリンダー３４によって高さが調節可能である。
【００３２】
膝受け体高さ調節シリンダー３４の下端の両側には水平に下体往復リンクロッド２４と垂直に下体回転用カム２５が連結され、下体回転用カム２５はカム固定支持板２を介してリンク固定軸９によりカム８と連結される。
【００３３】
このような構成によれば、膝運動部１３０は、往復リンクロッド２４と、下体回転用カム２５と、リンク固定軸９およびカム８によって円軌道を回りながら直線往復運動を行い、このような直線往復運動は尻運動部１２０に従って行われる。
【００３４】
足首運動部１４０は、足首受け体３３と、回転用ブラケット３２と、スライド／回転軸固定板３０と、移送ローラー３１および足首受けガイドレール２９を備える。
【００３５】
足首受け体３３には脚の足首部位が置かれ、回転用ブラケット３２は回動自在に足首受け体３３とスライド／回転軸固定板３０を連結する。回転用ブラケット３２の下部には足首受けガイドレール２９が形成され、足首受けガイドレール２９の内部には水平移動可能に移送ローラー３１が取り付けられる。
【００３６】
また、足首運動部１４０の下端と膝運動部１３０の下体往復リンクロッド２４との間には補助リンク２７を介して往復移送連結軸２８が連結される。
往復移送連結軸２８は、膝運動部１３０の運動に従って足首運動部１４０を運動させ、結果的に、足首運動部１４０は、尻運動部１２０に従って運動される。
【００３７】
尻運動部１２０を基準として左側には上体運動部１１０が配設され、右側には膝運動部１３０と足首運動部１４０が配設されて、これらの上体運動部１１０と、動部１３０および足首運動部１４０は尻運動部１２０に従って運動され、その結果、全身運動が行われる。
図６は、本発明に係る全身運動器の動作を説明するための図である。
【００３８】
図１から図５に基づき、本発明の全身運動器１００の構造と連結関係について説明し、図６を参照して、この全身運動器１００の動作、すなわち、尻運動部１２０の円軌道を中心として、上体運動部１１０と、尻運動部１２０と、膝運動部１３０および足首運動部１４０の段階別の位置変化について説明する。
【００３９】
図６に基づき、ユーザーが楽に仰臥した状態で、尻運動部１２０の円運動軌跡Ｐを中心として、４方向における上体運動部１１０と、尻運動部１２０と、膝運動部１３０および足首運動部１４０の段階別の位置について説明する。
先ず、円運動軌跡Ｐを中心として尻運動部１２０の中心がＳＴＥＰ−１に位置する場合について説明する。
【００４０】
尻運動部１２０の中心がＳＴＥＰ−１の位置に置かれるときに、仰臥しているユーザーの身体構造に合わせて、上体運動部１１０と、尻運動部１２０と、膝運動部１３０および足首運動部１４０の位置が図６に示すように設定される。
【００４１】
ＳＴＥＰ−１の状態からＳＴＥＰ−２の状態に切り替わると、尻運動部１２０は最下端の高さまで下降しながら左側から右側に移動され、尻運動部１２０の左側から右側への移動に従って、上体運動部１１０は往復連結リンク軸２３によって尻運動部１２０の移動距離と同じ距離だけ上体受けガイドレール１８によって動きながら重心が左側に移動され、上体受け体２１は右側に傾いている。
同様に、膝運動部１３０は、尻運動部１２０に従って、尻運動部１２０とは逆に最上端側に移動されて膝部位が略９０°の角度に折れ曲がる。
【００４２】
足首運動部１４０は往復移送連結軸２８によって膝運動部１３０に従って運動されて足首受けガイドレール２９によって右側から左側に移動されながら重心が左側に傾き、これにより、足首受け体３３は左側に傾いている。
【００４３】
尻運動部１２０がＳＴＥＰ−３の位置に切り替わると、左側から右側にさらに移動され、これに従って、上体運動部１１０もその分水平移動されながら左側がやや傾いた状態に置かれる。なお、膝運動部１３０は最大の高さに移動され、膝部分はＳＴＥＰ−２よりもさらに折れ曲がり、足首受け体３３もまた左側にさらに傾いている。
【００４４】
次いで、尻運動部１２０が最上端点に位置するとき、すなわち、ＳＴＥＰ−４の位置に置かれると、上体運動部１１０は左側に最大限に傾き、逆に、足首運動部１４０は右側に最大限に傾いて、膝運動部１３０は尻運動部１２０と足首運動部１４０との中間の高さで膝を支えることになる。
【００４５】
このようなＳＴＥＰ−１〜ＳＴＥＰ−４の状態でユーザーを基準として説明すると、ＳＴＥＰ−１ではユーザーが楽に仰臥した状態であり、ＳＴＥＰ−２ではユーザーの頭部分が上を向き、尻部分が最下点の位置にあり、膝部分はほとんど９０°の角度に折れ曲がった状態に置かれ、ＳＴＥＰ−３では頭部分と尻部分が一直線上に置かれ、膝部分は最大の高さまで上がり、足部分は膝の最大の高さを支える状態に置かれ、ＳＴＥＰ−４では頭部分と足部分が下がり、尻部分が最大の高さまで上がった状態に置かれる。
【００４６】
上述した本発明の技術的構成は、本発明が属する技術分野における当業者であれば、本発明の技術的思想や必須的特徴を変更することなく他の具体的な形態で実施可能であるということが理解できるであろう。よって、上述した実施形態はあらゆる面で例示的なものであり、限定的なものではないと理解さるべきであり、本発明の範囲は、前記詳細な説明よりは、後述する特許請求の範囲によって開示され、特許請求の範囲の意味および範囲、並びにその等価概念から導き出されるあらゆる変更または変形が本発明の範囲に含まれるものと解釈さるべきである。
【図１】
2014516722.tif 000003
【図２】
2014516722.tif 000004
【図３】
2014516722.tif 000005
【図４】
2014516722.tif 000006
【図５】
2014516722.tif 000007
【図６】
2014516722.tif 000008
【国際調査報告】
2014516722.tif 000009
2014516722.tif 000010
2014516722.tif 000011
2014516722.tif 000012